(57)【要約】【目的】本発明は簡単な機構にて袋や紙、シート等の比較的薄いものが簡単、確実に切断でき、内容物の入った袋を開封する場合にも、切断時に発生する切断屑等の異物が開封後に袋の中に入ることなく切断片が確実に分離できる。【解決手段】ベース上の左右に対向して起立する起立板に設けた軸受を貫通するロッドに、レバー及びカムを取り付け、起立板の外側に位置する昇降ブラケットを第１スプリングにて支承し、ベース上にカッターの刃が降下進入可能な隙間を備えた被切断物受け板と被切断物受け板の上方の対向する位置に被切断物受け板の隙間と同一の隙間を備えた被切断物押え板を設置し、前記左右に位置する昇降ブラケット間に渡設した上下所定間隔をおいたガイド板の両端を該昇降ブラケットに固定し、該上下所定間隔をおいたガイド板に沿って左右にスライドするスライダーを取り付け、該スライダーに着脱自在にカッターの刃を取り付けたシート、袋等のシート状被切断物の切断機。【選択図】    図１
2004330315.tif 000002
【特許請求の範囲】
【請求項１】
ベース上の左右に対向して起立する起立板を設け、該左右の起立板の軸受を貫通するロッドに、該ロッドを回動させるレバーを取り付けるとともに、前記左右の起立板の近傍に位置するロッド部位にカムをそれぞれ取り付け、かつ前記左右の起立板の外側に位置する昇降ブラケットはその昇降ブラケットの途中に設けた第１当板及び昇降ブラケットの上部に設けた第２当板をそれぞれベース上に垂設した軸棒に貫通させ、該軸棒の下部に装着した第１スプリングの上端が前記第１当板の下面に当接して前記昇降ブラケットを支承し、かつ該
第１当板の上面に上記軸棒を貫通する昇降板を載置するとともに、前記カムに当接して回転する回転子を前記昇降ブラケットに取り付け、さらに上記ベース上にカッターの刃が降下進入可能な隙間を備えた被切断物受け板を設け、該被切断物受け板の上方の対向する位置に被切断物受け板の隙間と同一の隙間を備えた被切断物押え板を設置し、該被切断物押え板の両端部を前記昇降板に固定し、上記第１当板の上面と第２当板下面との間に圧縮勝手の第２スプリングを前記軸棒に装着した状態で設置し、前記左右に位置する昇降ブラケット間に渡設した上下所定間隔をおいたガイド板の両端を該昇降ブラケットに固定し、該上下所定間隔をおいたガイド板に沿って左右にスライドするスライダーを該上下所定間隔をおいたガイド板に取り付け、該スライダーに着脱自在にカッターの刃を取り付け、被切断物受け板と被切断物押え板との間で被切断物を押えた状態で、かつ上記昇降ブラケットが最下位位置で停止しているときに、昇降ブラケットの降下とともに降下するカッターの刃が上記被切断物押え板及び被切断物受け板の各隙間に進入した状態でカッターの刃をスライドさせて被切断物を切断することを特徴とするシート、袋等のシート状被切断物の切断機。
【請求項２】
上記被切断物押え板は昇降ブラケットが第１スプリングのばね力に抗して降下するに伴って降下して被切断物受け板に当接した後、さらに昇降ブラケットを降下させて第１スプリングをさらに圧縮勝手とすると上記軸棒を貫通する昇降板が第１当板から離反するとともに第２スプリングも圧縮されて上記被切断物押え板に第２スプリングの圧縮に伴うばね力が賦勢されて被切断物を弾圧的に押圧可能としたことを特徴とする請求項１記載のシート、袋等のシート状被切断物の切断機。
【請求項３】
被切断物の切り落とし片側に昇降自在な突き刺し針を上記上下所定間隔をおいたガイド板に所定間隔をおいて垂直方向に設け、該突き刺し針の先端近傍にくびれ部を形成し、上記被切断物受け板に前記突き刺し針の先端部が挿入される切り欠き部を形成し、かつ上記起立板に渡設したバーに、突き刺し針が貫通する切り欠き部を備えた切り落とし片引き離し部材を設けたことを特徴とする請求項１又は２記載のシート、袋等のシート状被切断物の切断機。
【発明の詳細な説明】
【０００１】
【発明の属する技術分野】
本発明は紙や樹脂製シートの切断あるいは内容物の入った紙袋、樹脂袋等の袋の端部を開封して内容物を取り出す等の場合に使用するシート、袋等のシート状被切断物の簡易な切断機に関する。
【０００２】
【従来の技術】
従来のこの種の開袋機は、異物の混入を皆無とした開袋機であって、内容物の詰まった袋体をセットするセッティングセクションと、前記袋体の耳部を切り落す切断セクションと、袋体から内容物を排出する排出セクションとを設定し、前記袋体を安定保持する保持座と、その保持座をセッティングセクションから排出セクションヘと移動させる移動機構と、各セクションにおいて保持座の角度を変化させる回動機構とを設け、又前記切断セクションには切断機構と切断された耳部排出手段を設け、更に排出セクションには打脚機構を設けたものである（例えば、特許文献１参照）。
【０００３】
【特許文献１】
特開平６−２７０９２６号公報（特許請求の範囲）
【０００４】
【発明が解決しようとする課題】
上記従来の技術は、耳部は切断セクションにおいて切り離され、仮に切り離しが不完全であっても耳部排出手段により確実に取り除かれる。又その取り除かれた耳部を、万一耳部排出手段が取り落したとしても、排出は別のセクションで行なわれるから混入することはない。そして排出セクションでは、打擲機構の助けによって完全に排出されるという特徴を備えている。
しかし、内容物の入った袋体は該袋体の角度を変更でき、各セクション間を移動可能になるように回動機構を備え、かつバキューム吸着及びエア吹き出し機構が装備されている保持座によって確実に保持し、又は離反するさせるようになっているために、装置全体が高価、機構が複雑であり、簡単且つ容易、確実に開封作業ができる装置ではない。
【０００５】
本発明は、モータ利用の駆動機構や、バキューム吸着及びエア吹き出し機構等の装備を何ら必要とすることなく簡単な機構にて袋や紙、シート等の比較的薄いものが簡単、かつ確実に切断できるようにし、併せて内容物の入った袋を開封する場合にも、切断時に発生する切断屑例えば樹脂の切断屑等の異物が開封後に袋の中に入ることなく切断片が確実に分離できるようにしたシート、袋等のシート状被切断物の切断機を提供することにある。
【０００６】
【課題を解決するための手段】
本発明に係るシート、袋等のシート状被切断物の切断機は、ベース上の左右に対向して起立する起立板を設け、該左右の起立板の軸受を貫通するロッドに、該ロッドを回動させるレバーを取り付けるとともに、前記左右の起立板の近傍に位置するロッド部位にカムをそれぞれ取り付け、かつ前記左右の起立板の外側に位置する昇降ブラケットはその昇降ブラケットの途中に設けた第１当板及び昇降ブラケットの上部に設けた第２当板をそれぞれベース上に垂設した軸棒に貫通させ、該軸棒の下部に装着した第１スプリングの上端が前記第１当板の下面に当接して前記昇降ブラケットを支承し、かつ該第１当板の上面に上記軸棒を貫通する昇降板を載置するとともに、前記カムに当接して回転する回転子を前記昇降ブラケットに取り付け、さらに上記ベース上にカッターの刃が降下進入可能な隙間を備えた被切断物受け板を設け、該被切断物受け板の上方の対向する位置に被切断物受け板の隙間と同一の隙間を備えた被切断物押え板を設置し、該被切断物押え板の両端部を前記昇降板に固定し、上記第１当板の上面と第２当板下面との間に圧縮勝手の第２スプリングを前記軸棒に装着した状態で設置し、前記左右に位置する昇降ブラケット間に渡設した上下所定間隔をおいたガイド板の両端を該昇降ブラケットに固定し、該上下所定間隔をおいたガイド板に沿って左右にスライドするスライダーを該上下所定間隔をおいたガイド板に取り付け、該スライダーに着脱自在にカッターの刃を取り付け、被切断物受け板と被切断物押え板との間で被切断物を押えた状態で、かつ上記昇降ブラケットが最下位位置で停止しているときに、昇降ブラケットの降下とともに降下するカッターの刃が上記被切断物押え板及び被切断物受け板の各隙間に進入した状態でカッターの刃をスライドさせて被切断物を切断することを特徴とするものである。
【０００７】
また、請求項１記載のシート、袋等のシート状被切断物の切断機は、上記被切断物押え板は昇降ブラケットが第１スプリングのばね力に抗して降下するに伴って降下して被切断物受け板に当接した後、さらに昇降ブラケットを降下させて第１スプリングをさらに圧縮勝手とすると上記軸棒を貫通する昇降板が第１当板から離反するとともに第２スプリングも圧縮されて上記被切断物押え板に第２スプリングの圧縮に伴うばね力が賦勢されて被切断物を弾圧的に押圧可能としたことを特徴とするものである。
【０００８】
さらに、請求項１又は２記載のシート、袋等のシート状被切断物の切断機は、被切断物の切り落とし片側に昇降自在な突き刺し針を上記上下所定間隔をおいたガイド板に所定間隔をおいて垂直方向に設け、該突き刺し針の先端近傍にくびれ部を形成し、上記被切断物受け板に前記突き刺し針の先端部が挿入される切り欠き部を形成し、かつ上記起立板に渡設したバーに、突き刺し針が貫通する切り欠き部を備えた切り落とし片引き離し部材を設けたことを特徴とするものである。
【０００９】
【作用】
被切断物受け板の上に、内容物の入った樹脂製袋等の被切断物の切断する箇所側を挿入載置する。次に、レバーを手前に倒すと、該レバーに軸着しているロッドが回動し、該ロッドに軸着されているカムが回動し、該カムの回動に伴い該カムと回転自在に当接する回転子が回転しながら垂直方向に降下する。該回転子の降下に伴い、該回転子を備えた昇降ブラケットは第１スプリングを圧縮しながら垂直方向に降下する。そして、レバーをなおも手前に倒すと第２スプリングによって前記昇降ブラケットの第１当板上面に弾圧されている昇降板に両端部が固定されている被切断物押え板が前記被切断物受け板の上に降下して被切断物の切断する箇所の近傍を強く押える。被切断物を被切断物受け板と被切断物押え板との間で挟んだ状態で強く押えたまま、更にレバーを手前に倒すと前記昇降ブラケットは前記第１スプリングを更に圧縮させながら垂直方向に降下し、これに伴い前記昇降板は第１当板上面から離反し、第２スプリングをさらに圧縮勝手にさせ、カムは軸着部から離れた先端部側が最下部に達し、ここで停止することとなる。カムの回動が最下部の位置で停止された状態で、先端部がＶ字形状の刃を有するカッターを備えたスライダーを上下所定間隔をおいたガイド板に沿って水平方向にスライドさせながら被切断物の切断する箇所を切断することにより切断作業が完了する。
【００１０】
本発明では被切断物受け板の上に、内容物の入った樹脂製袋等の被切断物の切断する箇所側を挿入載置する時に、該被切断物を被切断物押え板で押える箇所に内容物やその他の異物がある場合でも、該被切断物を確実に押えるようにするために、被切断物押え板を単に左右均等に垂直方向に降下させるのではなく、該被切断物の押える箇所が異物等により凹凸になろうとも第２スプリングのばね力を利用して左右が傾斜しながらも略均一に左右を弾圧状態で押えることができ、袋等を確実に押えながら切断できる。
【００１１】
また、本発明に係るシート、袋等のシート状被切断物の切断機は、被切断物の切り落とし片側に昇降自在な突き刺し針を上記上下所定間隔をおいたガイド板に所定間隔をおいて垂直方向に設けることによって、被切断物を被切断物受け板と被切断物押え板との間で挟んだ状態で強く押えたまま、更にレバーを手前に倒すと前記昇降ブラケットは前記第１スプリングを更に圧縮させながら垂直方向に降下し、これに伴い前記昇降ブラケットに両端部を固定した上記ガイド板に取り付けられている突き刺し針も垂直方向にさらに降下して被切断物の切り落とし片側に突き刺し針の先端部が突き刺さることとなり、突き刺し針のくびれ部が切り落とし片に突き刺さった状態で係止している。カッターの刃で被切断物の切り落とし片が該被切断物から切断された後は、レバーを旧位置に復帰させる過程において被切断物の切り落とし片を被切断物受け板と被切断物押え板との間で挟んだ状態で先に突き刺し針が上昇し切り落とし片から引き抜かれ、さらに第１スプリングのばね力に賦勢されて昇降ブラケットが上昇して第１当板が昇降板に当って該昇降板を上昇させると被切断物押え板が被切断物受け板から離反して上昇し、切り落とし片が反対側にこ落下することとなる。突き刺し針の上昇によって切り落とし片は通常、落下するととなるが、切断分離された切り落とし片が突き刺し針のくびれ部についたまま引き上げられようとも引き離し部材によって強制的に分離される。
【００１２】
【実施例】
以下、本発明の一実施例を図面に基いて説明する。
図１は本発明の一実施例を示す正面図、図２は図１の平面図、図３は図１の側面図、図４は図２のＡ−Ａ線断面図でカッターの位置関係を示し、図５はカッターの取り付け状態を示す説明図、図６は図３のＢ−Ｂ線断面図、図７は本発明の要部を示す分解斜視図、図８の（ａ）（ｂ）（ｃ）は昇降ブラケットの降下状態を示す説明図で、昇降板が第１当て板から浮上（離反）する状態を示し、図９の（ａ）（ｂ）（ｃ）はカッターの降下状態を示す説明図、図１０はカムと回転子の関係を示す説明図である。
【００１３】
１はベースで、脚又は台形式で、本切断機全体が手に持って携帯可能な重量に形成される。２はベース１上の左右に対向して起立する状態で設けた起立板である。３はこの左右の起立板２の軸受２ａを貫通するロッドである。４はロッド３を回動させるためにそのロッド３の端部に取り付けレバーである。左右の起立板２の近傍に位置するロッド部位にはカム５がそれぞれ取り付けられている。また左右の起立板２の外側近傍には昇降ブラケット６が設けられている。その昇降ブラケット６の途中には第１当板７が設けられており、さらにその昇降ブラケット６の上部には第２当板８が設けられている。
【００１４】
ベース１上に垂設した軸棒９は第１当板７及び第２当板８を貫通しており、昇降ブラケット６は軸棒９の下部に装着した第１スプリング１０の上端が第１当板７の下面に当接した状態で昇降ブラケット６を支承している。
第１当板７の上面には軸棒９を貫通する昇降板１１が載置されている。カム５に当接して回転する回転子１２は昇降ブラケット６に突出して取り付けたカムシャフト１３に回動自在に支承されている。さらにベース１上にはカッター１４の刃１４ａが降下進入可能な隙間を備えた被切断物受け板１５が設けられている。被切断物受け板１５の上方の対向する位置には被切断物受け板１５の隙間と同一の隙間を備えた被切断物押え板１６が設置されている。被切断物押え板１６の両端部は昇降板１１に固定されている。第１当板７の上面と第２当板８の下面との間に圧縮勝手の第２スプリング１７が軸棒９に装着した状態で設置されている。
【００１５】
左右に位置する昇降ブラケット６の間に渡設した上下所定間隔をおいたガイド板１８の両端は昇降ブラケット６に固定されている。上下所定間隔をおいたガイド板１８に沿って左右にスライドするスライダー１９は上下所定間隔をおいたガイド板１８に取り付けられている。カッター１４はその刃１４ａを下に向けて被切断物受け板１５及び被切断物押え板１６と平行となるようにスライダー１９に着脱自在にを取り付けられている。被切断物受け板１５と被切断物押え板１６との間で被切断物Ｍを押えた状態で、かつ昇降ブラケット６がカム５の最下位位置で停止しているときに、昇降ブラケット６の降下とともに降下するカッター１４の刃１４ａが被切断物押え板１５及び被切断物受け板１６の各隙間に進入した状態で上下所定間隔をおいたガイド板１８に沿って左右にスライドするスライダー１９とともに移動するカッター１４の刃１４ａをスライドさせて被切断物Ｍを切断する。
【００１６】
被切断物押え板１５は昇降ブラケット６が第１スプリング１０のばね力に抗して降下するに伴って降下して被切断物受け板１５に当接した後、さらに昇降ブラケット６を降下させて第１スプリング１０をさらに圧縮勝手とすると軸棒９を貫通する昇降板１１が第１当板７から離反するとともに第２スプリング１７も圧縮されて被切断物押え板１６に第２スプリング１７の圧縮に伴うばね力が賦勢されて被切断物Ｍを弾圧的に押圧することとなる。
【００１７】
被切断物Ｍの切り落とし片側に昇降自在な突き刺し針２０は上下所定間隔をおいたガイド板１８の近傍から垂下する如く、そのガイド板１８に所定間隔をおいて設ける。突き刺し針２０の先端近傍にくびれ部２１を形成する。被切断物受け板１５に突き刺し針２０の先端部が挿入される切り欠き部２２を形成する。また起立板２に渡設したバー２３に、突き刺し針２０が貫通する切り欠き部２４を備えた切り落とし片引き離し部材２５を設ける。
【００１８】
次に、本発明の作用について更に具体的に述べる。
被切断物受け板１５の上に、内容物の入った樹脂製袋等の被切断物Ｍの切断する箇所側を挿入して載置する。次に、レバー４を手で手前に倒すと、そのレバー４に軸着しているロッド３が回動する。ロッド３に軸着されているカム５が回動し、カム５の回動に伴いカム５と回転自在に当接する回転子１２が回転しながら垂直方向に降下する。回転子１２の降下に伴い、回転子１２を備えた昇降ブラケット６は第１スプリング１０を圧縮させながら垂直方向に降下する。そして、レバー４をなおも手前に倒すと第２スプリング１７によって昇降ブラケット６の第１当板７の上面に弾圧されている昇降板１１に両端部が固定されている被切断物押え板１６が被切断物受け板１５の直上に降下して被切断物Ｍの切断する箇所の近傍を強く押える。
【００１９】
被切断物Ｍを被切断物受け板１５ととの間に挟んだ状態で強く押えたまま、更にレバー４を手前に倒すと昇降ブラケット６は第１スプリング１０を更に圧縮させながら垂直方向に降下する。昇降ブラケット６の降下に伴い昇降板１１は第１当板７の上面から離反する。この時、被切断物押え板１６は被切断物受け板１５に当接しているためにそれ以上下がることはなく、当接した位置でとどまっている。レバー４をさらに手前に倒すと、第２スプリング１７は第１当板７と第２当板８間でさらに圧縮勝手になり、この第２スプリング１７のばね力によって被切断物押え板１６が被切断物Ｍを強く弾圧状態で押えルことができる。カム５は軸着部から離れた先端部側が最下部に達し、ここで停止することとなる。
カム５の回動が最下部の位置で停止された状態で、先端部がＶ字形状の刃１４ａを有するカッター１４を備えたスライダー１９を上下所定間隔をおいたガイド板１８に沿って水平方向に左から右方向又は右から左方向の一方に向けてスライドさせながら被切断物Ｍの切断する箇所を切断することにより切断作業が完了する。
【００２０】
本発明では被切断物受け板１５の上に、内容物の入った樹脂製袋等の被切断物Ｍの切断する箇所側を挿入して載置する時に、被切断物Ｍを被切断物押え板１５で押える箇所に内容物による異物、袋の外にある異物あるいはその他の異物がある場合でも、被切断物Ｍを確実に押えるようにするために、被切断物押え板１６を単に左右均等に垂直方向に均等に降下させるのではなく、被切断物Ｍの押える箇所が異物等により凹凸になるような場合は、第２スプリング１７のばね力を利用して左右がいずれかに傾斜させながらも略均一に左右を弾圧状態で押えることができ、袋等を確実に押えながら切断できる。
【００２１】
また、本発明に係るシート、袋等のシート状被切断物Ｍの切断機は、被切断物Ｍの切り落とし片側に昇降自在な突き刺し針２０を上下所定間隔をおいたガイド板１８に所定間隔をおいて垂直方向に設けることによって、被切断物Ｍを被切断物受け板１５と被切断物押え板１６との間で挟んだ状態で強く押えたまま、更にレバー４を手前に倒すと昇降ブラケット６は第１スプリング１０を更に圧縮させながら垂直方向に降下する。これに伴い昇降ブラケット６に両端部を固定したガイド板１８に取り付けられている突き刺し針２０も垂直方向にさらに降下して被切断物Ｍの切り落とし片側に突き刺し針２０の先端部が突き刺さることとなる。突き刺し針２０のくびれ部２１が切り落とし片に突き刺さった状態で係止している。カッター１４の刃１４ａで被切断物Ｍの切り落とし片が被切断物Ｍから切断された後は、カム５の停止状態を解除し、レバー４を旧位置に復帰させる過程において被切断物Ｍの切り落とし片を被切断物受け板１５と被切断物押え板１６との間で挟んだ状態で先に突き刺し針２０が上昇し切り落とし片から引き抜かれる。さらに第１スプリング１０のばね力に賦勢されて昇降ブラケット６が上昇して第１当板７が昇降板１１に当って昇降板１１を上昇させると被切断物押え板１６が被切断物受け板１５から離反して上昇し、切り落とし片が反対側に落下することとなる。
突き刺し針２０の上昇によって切り落とし片は通常、落下することとなるが、切断分離された切り落とし片が突き刺し針２０のくびれ部２１についたまま引き上げられような場合は、引き離し部材２５によって強制的に分離される。
【００２２】
【発明の効果】
本発明は、上記の説明から判るように、簡単な機構にて袋や紙、シート等の比較的薄いものが簡単、かつ確実に切断できるようにし、併せて内容物の入った袋を開封する場合にも、切断時に発生する切断屑例えば樹脂の切断屑等の異物が開封後に袋の中に入ることなく切断片が確実に分離できるようにしたシート、袋等のシート状被切断物の切断機を提供することができる。
【００２３】
また、本発明は被切断物受け板の上に、内容物の入った樹脂製袋等の被切断物の切断する箇所側を挿入載置する時に、該被切断物を被切断物押え板で押える箇所に内容物やその他の異物がある場合でも、該被切断物をスプリングのばね力を利用して確実に押えるようにするために、被切断物押え板を単に左右均等に垂直方向に降下させるのではなく、該被切断物の押える箇所が異物等により凹凸になろうともスプリングのばね力を利用して左右がいずれか一方に傾斜しながらも略均一に左右を弾圧状態で押えることができ、袋等を確実に押えながら切断できる。
【００２４】
さらに、本発明に係るシート、袋等のシート状被切断物の切断機は、被切断物の切り落とし片側に昇降自在な突き刺し針を上記上下所定間隔をおいたガイド板に所定間隔をおいて垂直方向に設けることによって、被切断物を被切断物受け板と被切断物押え板との間で挟んだ状態で強く押えたまま、更にレバーを手前に倒すと前記昇降ブラケットは前記第１スプリングを更に圧縮させながら垂直方向に降下し、これに伴い前記昇降ブラケットに両端部を固定した上記ガイド板に取り付けられている突き刺し針も垂直方向にさらに降下して被切断物の切り落とし片側に突き刺し針の先端部が突き刺さることとなり、突き刺し針のくびれ部が切り落とし片に突き刺さった状態で係止しているので、切断時に切り落とし片が被切断物である袋等の中に入ることがなく、衛生的である。
カッターの刃で被切断物の切り落とし片が該被切断物から切断された後は、レバーを旧位置に復帰させる過程において被切断物の切り落とし片を被切断物受け板と被切断物押え板との間で挟んだ状態で先に突き刺し針が上昇し切り落とし片から引き抜かれ、さらに第１スプリングのばね力に賦勢されて昇降ブラケットが上昇して第１当板が昇降板に当って該昇降板を上昇させると被切断物押え板が被切断物受け板から離反して上昇し、切り落とし片が反対側に落下することとなる。
突き刺し針の上昇によって切り落とし片は通常、落下することとなるが、切断分離された切り落とし片が突き刺し針のくびれ部についたまま引き上げられるような場合でも、切り落とし片は引き離し部材によって強制的に分離される。
【図面の簡単な説明】
【図１】本発明の一実施例を示す正面図である。
【図２】図１の平面図である。
【図３】図１の側面図である。
【図４】図２のＡ−Ａ線断面図でカッターの位置関係を示す。
【図５】カッターの取り付け状態を示す説明図である。
【図６】図３のＢ−Ｂ線断面図である。
【図７】本発明の要部を示す分解斜視図である。
【図８】（ａ）（ｂ）（ｃ）は昇降ブラケットの降下状態を示す説明図で、昇降板が第１当板から浮上（離反）する状態を示す。
【図９】（ａ）（ｂ）（ｃ）はカッターの降下状態を示す説明図である。
【図１０】カムと回転子の関係を示す説明図である。
【符号の説明】
１      ベース
２      起立板
３      ロッド
４      レバー
５      カム
６      昇降ブラケット
７      第１当板
８      第２当板
９      軸棒
１０    第１スプリング
１１    昇降板
１２    回転子
１３    カムシャフト
１４    カッター
１４ａ  刃
１５    被切断物受け板
１６    被切断物押え板
１７    第２スプリング
１８    上下所定間隔をおいたガイド板
１９    スライダー
２０    突き刺し針
２１    くびれ部
２２    切り欠き部
２３    バー
２４    切り欠き部
２５    引き離し部材
Ｍ      被切断物
【図１】
2004330315.tif 000003
【図２】
2004330315.tif 000004
【図３】
2004330315.tif 000005
【図４】
2004330315.tif 000006
【図５】
2004330315.tif 000007
【図６】
2004330315.tif 000008
【図７】
2004330315.tif 000009
【図８】
2004330315.tif 000010
【図９】
2004330315.tif 000011
【図１０】
2004330315.tif 000012